(57)【要約】【課題】音質を高く保ちながら、ネックとボディとの接合強度を強くすることができるギターを提供する。【解決手段】ギター１は、基端部２５から先端部２６まで一直線に沿って延び、先端部２６にヘッド３が設けられたネック２と、基端部２５が接合される凹状の受容部４２を有するボディ４と、を備える。基端部２５と受容部４２とのうちの一方は、ネック２の長さ方向に沿って延びた少なくとも一つの突条２８を有し、基端部２５と受容部４２とのうちの他方は、突条２８が嵌まり込む少なくとも一つの溝４３を有している。【選択図】図２
0003231576.tif 000002
【実用新案登録請求の範囲】
【請求項１】
基端部から先端部まで一直線に沿って延び、前記先端部にヘッドが設けられたネックと、
前記基端部が接合される凹状の受容部を有するボディと、
を備え、
前記基端部と前記受容部とのうちの一方は、前記ネックの長さ方向に沿って延びた少なくとも一つの突条を有し、
前記基端部と前記受容部とのうちの他方は、前記突条が嵌まり込む少なくとも一つの溝を有している、
ギター。
【請求項２】
前記突条及び前記溝を複数備え、
前記複数の突条及び前記複数の溝は、前記長さ方向に交差する幅方向に間隔をおいて形成されている、
請求項１記載のギター。
【請求項３】
前記複数の突条及び前記複数の溝は、それぞれ三つ形成されている、
請求項２記載のギター。
【請求項４】
前記複数の突条及び前記複数の溝は、前記先端部から前記基端部に進むに従って、前記幅方向の対向間の距離が狭くなっている、
請求項１〜３のいずれか一項に記載のギター。
【請求項５】
前記突条が前記基端部に形成され、
前記溝が前記受容部に形成されている、
請求項１〜４のいずれか一項に記載のギター。
【請求項６】
前記突条及び前記溝の各々の長手方向の寸法は、前記長さ方向における前記受容部の寸法に対して４０％以上である、
請求項１〜５のいずれか一項に記載のギター。
【請求項７】
前記突条は、ネック本体の材質とは異なる材質で構成されている、
請求項１〜６のいずれか一項に記載のギター。
【請求項８】
前記複数の突条の材質は、エボニー材である、
請求項１〜７のいずれか一項に記載のギター。
【考案の詳細な説明】
【技術分野】
【０００１】
本考案は、ギターに関する。
【背景技術】
【０００２】
特許文献１には、従来のギターが記載されている。特許文献１記載のギターは、ボディに形成されたネック受容部に対し、ネックの基端部が嵌め込まれることで、組み立てられる。ネック受容部は蟻溝状に形成されており、ネック受容部の対向する側面は、前面に進むに従って幅狭となるように形成されている。
【０００３】
特許文献１記載のギターは、ネックの長さ方向に沿って基端部を受容部に差し込み、ネック受容部とネックの基端部とをボルトで留めることで、ボディに対してネックが接合される。
【先行技術文献】
【特許文献】
【０００４】
【特許文献１】特開２０１３−１４８６６０号公報
【考案の概要】
【考案が解決しようとする課題】
【０００５】
ところで、ボディに対してネックを接合するようなギターでは、ボディとネックとの接合強度が高いことが好ましい。しかしながら、接合強度を高くするべく、ネック受容部に対して、ネックの基端部をきつく嵌め込む構造にすると、音質に悪影響が生じることがある。
【０００６】
本考案は、上記事情に鑑みてなされ、音質を高く保ちながら、ネックとボディとの接合強度を強くすることができるギターを提供することを目的とする。
【課題を解決するための手段】
【０００７】
本考案に係る一態様のギターは、基端部から先端部まで一直線に沿って延び、前記先端部にヘッドが設けられたネックと、前記基端部が接合される凹状の受容部を有するボディと、を備える。前記基端部と前記受容部とのうちの一方は、前記ネックの長さ方向に沿って延びた少なくとも一つの突条を有し、前記基端部と前記受容部とのうちの他方は、前記突条が嵌まり込む少なくとも一つの溝を有している。
【考案の効果】
【０００８】
本考案に係る上記態様のギターは、音質を高く保ちながら、ネックとボディとの接合強度を強くすることができる、という利点がある。
【図面の簡単な説明】
【０００９】
【図１】図１は、本考案に係る一実施形態のギターの平面図である。
【図２】図２は、同上のギターの分解斜視図である。
【図３】図３Ａは、同上のギターのネックの基端部の分解斜視図である。図３Ｂは、ネック基端部の正面図である。
【図４】図４は、同上のギターのボディの受容部の斜視図である。
【考案を実施するための形態】
【００１０】
１．実施形態
【００１１】
以下、本実施形態に係るギター１について、詳細に説明する。
＜全体構成＞
【００１２】
本実施形態に係るギター１は、エレキギター（エレクトリックギター）である。ギター１は、図１に示すように、ボディ４と、ネック２と、ヘッド３と、を備える。ヘッド３は、ネック２の長手方向においてボディ４とは反対側の端部（先端部２６）に設けられている。
【００１３】
ヘッド３には複数（ここでは６つ）のペグ３１が設けられている。また、ネック２の先端部２６にはナット２４が設けられ、ボディ４にはブリッジ４１が設けられている。ペグ３１とブリッジ４１とには、複数の弦６が掛け渡されており、ペグ３１で各弦６を巻くことで、弦６はナット２４とブリッジ４１とによって支えられる。ペグ３１の配置は、本実施形態では、いわゆる片側６連タイプであるが、本考案ではこれに制限されず、例えば、両側３連タイプ、４対２タイプ、５対１タイプ等であってもよい。
【００１４】
ボディ４には弦６に沿って間隔をおいて配置された複数のピックアップが取り付けられている。複数のピックアップとして、ネック２に最も近いピックアップを「フロントピックアップ５１」といい、ブリッジ４１に最も近いピックアップを「リアピックアップ５２」といい、フロントピックアップ５１とリアピックアップ５２との間のピックアップを「センターピックアップ５３」という場合がある。なお、本実施形態では、ギター１は三つのピックアップを備えるが、本考案では、一つ又は二つ、あるいは四つ以上のピックアップを備えてもよい。
【００１５】
ネック２は、図２に示すように、ボディ４に対して接合される。ボディ４には受容部４２が形成されており、当該受容部４２にネック２の基端部２５が嵌め込まれ、ねじ、ボルト等のねじ具で固定することで、ネック２とボディ４とは接合される。
【００１６】
以下では、図１に示すように、ボディ４、ネック２及びヘッド３が並ぶ方向を「長さ方向」として定義し、長さ方向に直交しかつボディ４に並行な方向を「幅方向」として定義する。また、長さ方向及び幅方向に直交する方向を「前後方向」とし、前後方向のうち、弦６が張られる側を「前側」とし、その反対側を「後側」として定義する。
＜各部構成＞
（１）ネック
【００１７】
ネック２は、図１に示すように、ギター１の長さ方向に一直線に沿って延びている。ネック２の長さ方向のうちボディ４側の端部を基端部２５とし、反対側の端部を先端部２６とする。ネック２の先端部２６には、上述の通り、ヘッド３が設けられている。ネック２の断面形状は特に制限はなく、例えば、Ｃシェイプ、Ｕシェイプ、Ｖシェイプ等が挙げられる。ネック２の基端部２５は、ネック２の長さ方向のボディ４側の端部であり、ボディ４の受容部４２に嵌まり込む部分を意味する。
【００１８】
ネック２は、ネック２の主体を構成するネック本体２１と、指板２２（フィンガーボード）と、を備える。指板２２には、長さ方向に所定の間隔をおいて、複数のフレット２３（例えば、２４フレット）が設けられている。指板２２の先端には、ナット２４が設けられている。
【００１９】
ネック本体２１の材質としては、特に制限はなく、例えば、メイプル材、マホガニー材、アルミニウム、ＦＲＰ、カーボングラファイト、複数の材からなる複合材等が挙げられる。指板２２の材質としては、例えば、メイプル材、ローズウッド材、エボニー材、合成樹脂（例えば、エボノール樹脂）等が挙げられる。
【００２０】
ネック２の基端部２５は、図２に示すように、ピックアップ取付け凹部２７を有する。ピックアップ取付け凹部２７は、リアピックアップ５２を装着するための凹みである。ピックアップ取付け凹部２７は、ネック本体２１の厚み方向の前側の面（指板２２がある側の表面）から凹んでいる。
【００２１】
また、基端部２５は、複数の突条２８を有している。複数の突条２８は、ネック本体２１の厚み方向の後側の平面（以下、「後面２５１」という）から突出している。各突条２８は、ネック２の長さ方向に沿って延びている。複数の突条２８は、ギター１の幅方向に間隔をおいて形成されている。複数の突条２８は、ピックアップ取付け凹部２７のすぐ裏側に配置されており、ピックアップ取付け凹部２７に対応する位置に形成されている。したがって、複数の突条２８によれば、ピックアップ取付け凹部２７によって低下したネック２の強度を補うことができる。
【００２２】
突条２８は、図３Ａに示すように、ネック本体２１に対し、突条体２８１を接着することで構成されている。ネック本体２１の後面２５１には、突条体２８１を嵌め込む複数のスロット部２１１が形成されている。スロット部２１１は、基端部２５の後面２５１から凹んでおり、ギター１の長さ方向に沿って延びている。各スロット部２１１の深さ寸法は、各突条体２８１の厚さ寸法よりも短い。
【００２３】
突条体２８１は、ネック本体２１とは異なる材料で構成されている。突条体２８１の材質としては、例えば、エボニー材、アルダー材、マホガニー材、アッシュ材、その他の木材等が挙げられるが、エボニー材が用いられることが好ましい。エボニー材は、高強度であり、水分を含んだ際に曲がりにくいからである。ただし、本考案では、突条体２８１は、木材に限らず、例えば、合成樹脂、カーボン、金属等であってもよい。また、突条２８は、接着によって突条体２８１をネック本体２１に取り付ける構造に限らず、例えば、ネック本体２１に対して、削り出し等で一体に形成されてもよい。
【００２４】
各突条２８の幅寸法Ｗ１（突条２８の長手方向に直交する方向の寸法)は、図３Ｂに示すように、基端部２５の幅寸法Ｗ２（基端部２５の幅方向の寸法）に対して、５％以上１５％以下であることが好ましく、より好ましくは、８％以上１２％以下である。本実施形態では、基端部２５の幅寸法は５７ｍｍであり、突条２８の幅寸法は６mmである。ただし、本考案では、各突条２８の幅寸法には特に制限はない。
【００２５】
突条２８の長手方向の寸法Ｌ１は、ボディ４に対するネック２の幅方向のズレを抑制する点及び突条体２８１の接着強度を高くする点から、基端部２５の後面２５１の長さ方向の寸法Ｌ２（つまり、受容部４２の長さ方向の寸法）に対して、４０％以上に形成されていることが好ましく、より好ましくは、５０％以上（半分以上）である。一方、音質を保つ観点から、基端部２５の後面２５１の長さ方向の寸法Ｌ２に対する突条２８の長手方向の寸法Ｌ１は、７０％以下であることが好ましく、より好ましくは６０％以下である。本実施形態では、基端部２５の後面２５１の長さ方向の寸法は、１３９ｍｍであり、突条２８の長手方向の寸法は６５ｍｍである。ただし、本考案では、各突条２８の長手方向の寸法には特に制限はない。
【００２６】
本実施形態に係るギター１は、複数の突条２８として、三つの突条２８を有する。基端部２５の後面２５１と、ボディ４の受容部４２における前面４２１（すなわち、基端部２５の後面２５１に対向する面）とは接触面積が大きい方が音質の点で好ましい。一方で、突条２８の数量を増やすと、ボディ４とネック２との接合強度の点で好ましいが、基端部２５の後面２５１と受容部４２の前面４２１との接触面積が減ってしまう。これらの点から、複数の突条２８として、三つの突条２８を採用することがより好ましい。
【００２７】
複数の突条２８は、先端部２６から基端部２５に向かう方向に進むに従って、幅方向の対向間の距離が狭くなっている。本実施形態に係るギター１では、三つの突条２８のうち、中央の突条２８は、長さ方向に平行であり、他の二つの突条２８は、長さ方向に対してやや傾いている。すなわち、複数の突条２８のうちの一の突条２８は他の突条２８に対して非平行である。このため、ボディ４に対して接合されたネック２は、様々な方向に加わる力又は振動に対して強度を高くすることができ、ボディ４とネック２との接合強度を高くすることができる。
【００２８】
基端部２５には、複数（ここでは四つ）のねじ孔２９が形成されている。本実施形態では、複数のねじ孔２９として、基端部２５のボディ４側の端部に形成されたねじ孔２９（これを「第一ねじ孔２９１」という）と、基端部２５のヘッド３側の端部に形成されたねじ孔２９（これを「第二ねじ孔２９２」という）と、を備える。一対の第二ねじ孔２９２の間の寸法は、一対の第一ねじ孔２９１の寸法よりも短い。
【００２９】
突条２８の長手方向のボディ４側の端部は、一対の第一ねじ孔２９１の間に位置しており、第一ねじ孔２９１と突条２８とは、幅方向に沿って見て、少なくとも一部が重なっている。すなわち、本実施形態に係るギター１では、突条２８が長さ方向のボディ４側にできる限り延びており、ボディ４とネック２との接合強度を高くすることができる。
（２）ボディ
【００３０】
ボディ４は、図１に示すように、ブリッジ４１を有する部分であり、幅方向に拡がっている。本実施形態に係るボディ４は幅方向に非対称の形状である。ボディ４の材質としては、例えば、アルダー材、アッシュ材、マホガニー材、メイプル材、バスウッド材、ウォルナット材、ローズウッド材、ハカランダ材、その他の木材が挙げられる。ボディ４は、図２に示すように、基端部２５が接合される凹状の受容部４２を有する。
【００３１】
受容部４２は、ネック２の基端部２５の後面２５１に対向する前面４２１と、前面４２１に直交する側面４２２と、を有する。側面４２２は、前面４２１の幅方向の両側と、前面４２１の長さ方向のボディ４側と、を有しており、受容部４２は前方向及び長さ方向のヘッド３側を向く方向に開放している。受容部４２の前面４２１には、図４に示すように、突条２８が嵌まり込む複数の溝４３が形成されている。
【００３２】
前後方向に見て（以下、平面視という場合がある）、溝４３は、突条２８と略同じ形状に形成されている。溝４３の深さ寸法は、ネック２の基端部２５の後面２５１から突条２８が突出する寸法（突出寸法）以上に形成されている。このため、ボディ４の受容部４２とネック２の基端部２５とが接合すると、受容部４２の前面４２１とネック２の後面２５１とは互いに接触する。
【００３３】
受容部４２には、ボディ４を貫通する複数の貫通孔４４が形成されている。複数の貫通孔４４はネック２のねじ孔２９に対応する位置に形成されている。したがって、受容部４２にネック２の基端部２５を嵌め込み、ボディ４の後側から貫通孔４４に通されたねじ具によってねじ込むことで、ボディ４とネック２とは接合される。
【００３４】
本実施形態では、複数の溝４３は、複数の突条２８と同じく、三つである。溝４３の数量は、突条２８の数量以上あればよいが、ボディ４の強度の観点から、溝４３の数量と突条２８の数量とは同じであることが好ましい。
【００３５】
複数の溝４３は、突条２８と同様、先端部２６から基端部２５に向かう方向に進むに従って、幅方向の対向間の距離が狭くなっている。溝４３の長手方向の寸法は、突条２８の長手方向の寸法以上であればよいが、ボディ４の強度の観点から、突条２８の長手寸法と同じ寸法であることが好ましい。溝４３の幅方向の寸法は、突条２８の幅寸法と略同じ寸法であることが好ましい。本実施形態では、溝４３は、突条２８に対応するように形成されるため、突条２８の説明でした長手方向の寸法及び幅方向の寸法については同じ構造であり、重複する説明については省略する。
【００３６】
溝４３及び突条２８は、図３Ｂ及び図４に示すように、平面視長円形状に形成されている。すなわち、溝４３及び突条２８は、角丸形状をしているため、溝４３に突条２８が嵌り込んだ際のフィット感が高く、例えば、多少の寸法交差を許容することができる。
【００３７】
受容部４２の幅方向の寸法は、基端部２５の幅寸法Ｗ２に比べて、やや遊びがある程度の寸法であることが好ましい。これによって、受容部４２に対してネック２の基端部２５がきつく嵌り込むことがなく、ネック２のセンターずれの問題が生じにくいし、側面４２２と基端部２５との強い接触が音質に悪影響を与えることを抑制できる。一方、ネック２とボディ４との接合強度については、溝４３に対して突条２８が嵌り込んだ上でねじ具によって接合するため、適切な接合強度を得ることができる。
＜製造方法＞
【００３８】
本実施形態に係るギター１は、例えば、次の製造方法によって製造することができる。本実施形態に係るギター１の製造方法は、ネック加工工程と、受容部加工工程と、接合工程と、を備える。
【００３９】
ネック加工工程は、ネック２の基端部２５に突条２８を形成する工程である。ネック加工工程は、木工フライス盤等の回転刃を有する加工機等を使用して、ネック本体２１の基端部２５の後面２５１に対してスロット部２１１を形成する。そして、スロット部２１１に接着剤を塗布した上で、スロット部２１１に突条体２８１を嵌め込む。これによって、ネック加工工程では、ネック２の基端部２５に突条２８を形成することができる。
【００４０】
受容部加工工程は、ボディ４に受容部４２を形成し、受容部４２の前面４２１に溝４３を形成する工程である。ネック加工工程は、受容部４２の前面４２１に、木工ビット等の工具によって、溝４３を形成する。
【００４１】
接合工程は、ボディ４の受容部４２とネック２の基端部２５とを接合する工程である。接合工程では、ネック加工工程で形成した複数の突条２８を、受容部加工工程で形成した複数の溝４３に嵌め込み、この状態で貫通孔４４にねじ具を挿入してねじ込む。これによって、ボディ４の受容部４２とネック２の基端部２５とを、適切に接合することができる。
２．変形例
【００４２】
上記実施形態は、本考案の様々な実施形態の一つに過ぎない。実施形態は、本考案の目的を達成できれば、設計等に応じて種々の変更が可能である。以下、実施形態の変形例を列挙する。以下に説明する変形例は、適宜組み合わせて適用可能である。
【００４３】
上記実施形態では、ネック２に突条２８が形成され、ボディ４に溝４３が形成されたが、本考案では、これに限らず、ネック２の強度が確保できれば、ネック２に溝４３が形成され、かつボディ４に突条２８が形成されてもよい。
【００４４】
上記実施形態では、ギター１はエレキギターであるが、本考案では、アコースティックギターであってもよい。
【００４５】
上記実施形態では、ネック２は、ネック本体２１に対して指板２２が貼り合わされたが、本考案では、ネック本体２１と指板２２とが一体のワンピースネックで構成されてもよい。
【００４６】
上記実施形態では、突条２８は、三つであったが、一つであってもよいし、二つであってもよいし、四つ以上であってもよい。
【００４７】
上記実施形態では、突条２８の長手方向のヘッド３側の端部は、基端部２５の後面２５１の長さ方向の途中に位置したが、本考案では、突条２８は、基端部２５の後面２５１のヘッド３側の端まで延びていてもよい。
【００４８】
本明細書にて、「略平行」、又は「略直交」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００４９】
また、本明細書において「前端部」及び「前端」などのように、「…部」の有無で区別した表現が用いられている。例えば、「前端部」とは、「前端」を含む一定の範囲を持つ部分を意味する。他の「…部」を伴った表現についても同様である。
３．まとめ
【００５０】
以上説明したように、第１の態様に係るギター１は、基端部２５から先端部２６まで一直線に沿って延び、先端部２６にヘッド３が設けられたネック２と、基端部２５が接合される凹状の受容部４２を有するボディ４と、を備える。基端部２５と受容部４２とのうちの一方は、ネック２の長さ方向に沿って延びた少なくとも一つの突条２８を有し、基端部２５と受容部４２とのうちの他方は、突条２８が嵌まり込む少なくとも一つの溝４３を有している。
【００５１】
この態様によれば、受容部４２に対して基端部２５をきつく嵌め込まなくても、ネック２とボディ４との接合強度を強くすることができる。この結果、音質を高く保ちながら、ネック２の基端部２５とボディ４の受容部４２との接合強度を強くすることができる。
【００５２】
第２の態様に係るギター１では、第１の態様において、突条２８及び溝４３を複数備える。複数の突条２８及び複数の溝４３は、長さ方向に交差する幅方向に間隔をおいて形成されている。
【００５３】
この態様によれば、ネック２の基端部２５とボディ４の受容部４２との接合強度を、一層強くすることができる。
【００５４】
第３の態様に係るギター１では、第１の態様において、複数の突条２８及び複数の溝４３は、それぞれ三つ形成されている。
【００５５】
この態様によれば、ネック２の基端部２５とボディ４の受容部４２との平面同士の接触面積を保ちながら、接合強度を強くすることができるため、より効果的に、音質を高く保ちながら、ネック２の基端部２５とボディ４の受容部４２との接合強度を強くすることができる。
【００５６】
第４の態様に係るギター１では、第１〜３のいずれか１つの態様において、複数の突条２８及び複数の溝４３は、先端部２６から基端部２５に進むに従って、幅方向の対向間の距離が狭くなっている。
【００５７】
この態様によれば、様々な外力に対する強度を高くすることができ、ネック２の基端部２５とボディ４の受容部４２との接合強度を、一層強くすることができる。
【００５８】
第５の態様に係るギター１では、第１〜４のいずれか１つの態様において、突条２８が基端部２５に形成され、溝４３が受容部４２に形成されている。
【００５９】
この態様によれば、ネック２の基端部２５に溝４３が形成されたものに比べ、ネック２が薄くなって強度が損なわれるのを防ぐことができる。
【００６０】
第６の態様に係るギター１では、第１〜５のいずれか１つの態様において、突条２８及び溝４３の各々の長手方向の寸法は、長さ方向における受容部４２の寸法に対して４０％以上である。
【００６１】
この態様によれば、ネック２の基端部２５とボディ４の受容部４２との一体感を高めることができ、ネック２のセンターずれを防ぐことができる。
【００６２】
第７の態様に係るギター１では、第１〜６のいずれか１つの態様において、突条２８は、ネック本体２１の材質とは異なる材質で構成されている。
【００６３】
この態様によれば、突条２８の強度を、ネック２の材質に影響されず、適切な強度にすることができる。
【００６４】
第８の態様に係るギター１では、第１〜７のいずれか１つの態様において、複数の突条２８の材質は、エボニー材である。
【００６５】
この態様によれば、突条２８の強度を高くすることができ、ネック２とボディ４との接合強度を強くすることができる。
【００６６】
第９の態様に係るギター１の製造方法は、基端部２５から先端部２６まで一直線に沿って延び、先端部２６にヘッド３が設けられたネック２と、基端部２５が接合される凹状の受容部４２を有するボディ４と、を備えたギター１の製造方法である。製造方法は、基端部２５と受容部４２とのうちの一方に、ネック２の長さ方向に延びた少なくとも一つの突条２８を形成する工程と、基端部２５と受容部４２とのうちの他方に、突条２８が嵌まり込む少なくとも一つの溝４３を形成する工程と、溝４３に突条２８を嵌め込み、ボディ４の受容部４２とネック２の基端部２５とを接合する工程と、を含む。
【００６７】
この態様によれば、高い音質を保ちながら、ネック２の基端部２５とボディ４の受容部４２との接合強度を強くしたギター１を製造することができる。
【００６８】
第２〜第８の態様に係る構成については、ギター１に必須の構成ではなく、適宜省略可能である。
【符号の説明】
【００６９】
１        ギター
２        ネック
２５      基端部
２６      先端部
２８      突条
３        ヘッド
４        ボディ
４２      受容部
４３      溝
【図１】
0003231576.tif 000003
【図２】
0003231576.tif 000004
【図３】
0003231576.tif 000005
【図４】
0003231576.tif 000006
【手続補正書】
【提出日】令和3年2月12日(2021.2.12)
【手続補正１】
【補正対象書類名】実用新案登録請求の範囲
【補正対象項目名】全文
【補正方法】変更
【補正の内容】
【実用新案登録請求の範囲】
【請求項１】
基端部から先端部まで一直線に沿って延び、前記先端部にヘッドが設けられたネックと、
前記基端部が接合される凹状の受容部を有するボディと、
を備え、
前記基端部と前記受容部とのうちの一方は、前記ネックの長さ方向に沿って延びた少なくとも一つの突条を有し、
前記基端部と前記受容部とのうちの他方は、前記突条が嵌まり込む少なくとも一つの溝を有している、
ギター。
【請求項２】
前記突条及び前記溝を複数備え、
前記複数の突条及び前記複数の溝は、前記長さ方向に交差する幅方向に間隔をおいて形成されている、
請求項１記載のギター。
【請求項３】
前記複数の突条及び前記複数の溝は、それぞれ三つ形成されている、
請求項２記載のギター。
【請求項４】
前記複数の突条及び前記複数の溝は、前記先端部から前記基端部に進むに従って、前記幅方向の対向間の距離が狭くなっている、
請求項２又は請求項３に記載のギター。
【請求項５】
前記突条が前記基端部に形成され、
前記溝が前記受容部に形成されている、
請求項１〜４のいずれか一項に記載のギター。
【請求項６】
前記突条及び前記溝の各々の長手方向の寸法は、前記長さ方向における前記受容部の寸法に対して４０％以上である、
請求項１〜５のいずれか一項に記載のギター。
【請求項７】
前記突条は、ネック本体の材質とは異なる材質で構成されている、
請求項１〜６のいずれか一項に記載のギター。
【請求項８】
前記複数の突条の材質は、エボニー材である、
請求項２〜４のいずれか一項に記載のギター。